(57)【要約】【課題】  ゴミ取りテープの長さ自由に設定することができ、ゴミをキャッチする捕捉部をより安価かつ簡単に構築することができるゴミ取りテープおよびそのテープディスペンサーを提供する。【解決手段】  シート状の基材１１にその一部を反粘着面側に起立させるための切れ目１４を複数設け、癖付け部２３を介して捕捉部を切れ目１４に沿って起立させる。【選択図】  図１
2005036478.tif 000002
【特許請求の範囲】
【請求項１】
シート状の基材の一方の面が被貼着面に対して貼り付けられる粘着面とされ、他方の面にゴミをキャッチするための捕捉部が形成されたゴミ取りテープにおいて、
上記基材には、上記基材の一部を上記捕捉部として反粘着面側に起立させるための切れ目が複数設けられていることを特徴とするゴミ取りテープ。
【請求項２】
少なくとも上記基材は、耐水性を有する合成樹脂からなる請求項１に記載のゴミ取りテープ。
【請求項３】
上記捕捉部には、上記ゴミ取りテープの進行方向（繰り出し方向）に向かって凸となるような頂部が形成されている請求項１または２に記載のゴミ取りテープ。
【請求項４】
上記切れ目は、上記ゴミ取りテープの進行方向（繰り出し方向）に向かってΛ（ラムダ）型に形成されている請求項１，２または３に記載のゴミ取りテープ。
【請求項５】
上記基材には、上記基材を所定長さで切断するための切断部がさらに設けられている請求項１ないし４のいずれか１項に記載のゴミ取りテープ。
【請求項６】
シート状の基材の一方の面に被貼着面に対して貼り付けられる粘着面が形成され、他方の面にゴミをキャッチするための捕捉部が形成されたゴミ取りテープと、同ゴミ取りテープを内部に収納する本体とを有するテープディスペンサーにおいて、
上記ゴミ取りテープの基材には、上記基材の一部を反粘着面側に起立させて上記捕捉部を形成するための切れ目が複数設けられており、上記ディスペンサー本体には、上記基材の一部を上記切れ目に沿って起立させて、上記基材の他方の面に複数の捕捉部を形成するための起立手段が設けられていることを特徴とするテープディスペンサー。
【請求項７】
上記起立手段は、上記捕捉部を上記切れ目に沿って半起立状態にさせる第１起立手段と、上記半起立状態にある上記捕捉部をテープ繰り出し方向とは反対方向に反り返らせて起立状態に癖付けする第２起立手段とを備えている請求項６に記載のテープディスペンサー。
【請求項８】
上記第１起立手段は、上記ゴミ取りテープを外部に引き出すために上記ディスペンサー本体に形成された引出孔からなる請求項７に記載のテープディスペンサー。
【請求項９】
上記第２起立手段は、上記引出孔から引き出された上記ゴミ取りテープを跨ぐようにアーチ状に掛け渡された癖付け部からなり、上記ゴミ取りテープは、上記癖付け部をくぐり抜ける際に、上記基材の一部が反繰り出し方向に反り返される請求項７または８に記載のテープディスペンサー。
【請求項１０】
上記第１起立手段と上記第２起立手段とは、互いに隣接して設けられている請求項７ないし９のいずれか１項に記載のテープディスペンサー。
【発明の詳細な説明】
【技術分野】
【０００１】
本発明は、浴室などの排水口に貼り付けて髪の毛などをキャッチするゴミ取りテープおよびそのテープディスペンサーに関し、さらに詳しく言えば、必要な長さに応じてゴミ取りテープの長さを自由に設定でき、嵩張ることなく保管することができる技術に関する。
【背景技術】
【０００２】
一般に、浴室などの排水口には、穴あきの蓋（ストレーナー）が設けられているが、この蓋は、髪の毛などの小さなゴミは、蓋によってキャッチされずに、そのまま排水パイプ内に流れ落ちてしまう。髪の毛などのゴミが排水パイプ内に流れると、詰まりや悪臭の原因となる。
【０００３】
そこで、例えば図４に示すようなゴミ取りテープが一部で提供されている。このゴミ取りテープ１は、裏面側（排水口Ｄ側）に図示しない粘着面が形成された帯状の基材２と、同基材２の表面（図４では上面）に設けられた面ファスナーからなる捕捉部３とを備え、基材２の粘着面側を浴槽などの排水口Ｄの上に跨るように貼り付けて使用する。この例では、排水口Ｄの上には３本のゴミ取りテープ１が互いに平行に貼り付けられている。
【０００４】
これによれば、排水口Ｄの上に流れてきた髪の毛は、排水口Ｄ内に流れ落ちずにゴミ取りテープ１の捕捉部３でキャッチされるため、パイプの詰まりや悪臭を予防できる。また、捕捉した髪の毛をゴミ取りテープ１を剥がし取ることで、簡単に回収・廃棄することができる。
【０００５】
しかしながら、この種のゴミ取りテープには次のような課題があった。すなわち、今までのゴミ取りテープ１は、基材２の表面に面ファスナーからなる捕捉部を別部材として熱融着などによって貼り付けていたため、生産性に問題があった。また、ゴミ取りテープ１は、その長さが一般的な丸孔の排水口を基準として決められており、例えば縦長な排水口に適用するには、複数本を一並べにするなど、取り回しにも難があった。
【発明の開示】
【発明が解決しようとする課題】
【０００６】
そこで、本発明は上述した課題を解決するためになされたものであって、その目的は、ゴミ取りテープの長さ自由に設定でき、嵩張ることなく保管することができるゴミ取りテープおよびそのテープディスペンサーを提供することにある。
【課題を解決するための手段】
【０００７】
上述した目的を達成するため、請求項１に記載の発明は、シート状の基材の一方の面が被貼着面に対して貼り付けられる粘着面とされ、他方の面にゴミをキャッチするための捕捉部が形成されたゴミ取りテープにおいて、上記基材には、上記基材の一部を反粘着面側に起立させるための切れ目が複数設けられており、上記捕捉部は、所定の起立手段を介して上記基材の一部を上記切れ目に沿って起立させたものからなることを特徴としている。
【０００８】
請求項２に記載の発明は、少なくとも上記基材は、耐水性を有する合成樹脂からなることを特徴としている。
【０００９】
請求項３に記載の発明は、上記捕捉部には、上記ゴミ取りテープの進行方向（繰り出し方向）に向かって凸となるような頂部が形成されていることを特徴としている。
【００１０】
請求項４に記載の発明は、上記切れ目は、上記ゴミ取りテープの進行方向（繰り出し方向）に向かってΛ（ラムダ）型に形成されていることを特徴としている。
【００１１】
請求項５に記載の発明は、上記基材には、上記基材を所定長さで切断するための切断部がさらに設けられている。
【００１２】
本発明には、このゴミ取りテープを繰り出すテープディスペンサも含まれる。すなわち、請求項６に記載の発明は、シート状の基材の一方の面に被貼着面に対して貼り付けられる粘着面が形成され、他方の面にゴミをキャッチするための捕捉部が形成されたゴミ取りテープと、同ゴミ取りテープを内部に収納するディスペンサー本体とを有するテープディスペンサーにおいて、上記ゴミ取りテープの基材には、上記基材の一部を反粘着面側に起立させて上記捕捉部を形成するための切れ目が複数設けられており、上記ディスペンサー本体には、上記基材の一部を上記切れ目に沿って起立させて、上記基材の他方の面に複数の捕捉部を形成するための起立手段が設けられていることを特徴としている。
【００１３】
請求項７に記載の発明は、上記起立手段は、上記捕捉部を上記切れ目に沿って半起立状態にさせる第１起立手段と、上記半起立状態にある上記捕捉部をテープ繰り出し方向とは反対方向に反り返らせて起立状態に癖付けする第２起立手段とを備えていることを特徴としている。
【００１４】
請求項８に記載の発明は、上記第１起立手段は、上記ゴミ取りテープを外部に引き出すために上記ディスペンサー本体に形成された引出孔からなることを特徴としている。
【００１５】
請求項９に記載の発明は、上記第２起立手段は、上記引出孔から引き出された上記ゴミ取りテープを跨ぐようにアーチ状に掛け渡された癖付け部からなり、上記ゴミ取りテープは、上記癖付け部をくぐり抜ける際に、上記基材の一部が反繰り出し方向に反り返されることを特徴としている。
【００１６】
請求項１０に記載の発明は、上記第１起立手段と上記第２起立手段とは、互いに隣接して設けられていることを特徴としている。
【発明の効果】
【００１７】
請求項１に記載の発明によれば、基材の一部に切れ目を入れて、その部分を起立させることにより、捕捉部をゴミ取りテープの繰り出しとともに簡単に作ることができる。
【００１８】
請求項２に記載の発明によれば、浴室などの高湿潤環境下で使用しても問題ない。請求項３に記載の発明によれば、繰り出し方向側に切れ目の頂部が設けられていることで、捕捉部を無理なく起立させることができる。請求項４に記載の発明によれば、粘着面を保護するセパレータまで切れ目が入っていないため、セパレータが剥がしやすくなる。
【００１９】
請求項５に記載の発明によれば、ゴミ取りテープを必要な長さ繰り出して、切断することができ、様々な形状の排水口に対応することができる。請求項６に記載の発明によれば、ディスペンサーに基材の一部をその切れ目に沿って起立させる起立手段を設けたことにより、ゴミ取りテープの繰り出しと同時に捕捉部を構築することができる。
【００２０】
請求項６，７に記載の発明によれば、基材の一部を第１起立手段で半起立状態とさせ、次に第２起立部で完全に起立状態とすることにより、基材に切り込まれた切れ目に沿ってすべての捕捉部を均一に起立させることができる。
【００２１】
請求項８に記載の発明によれば、引出孔からゴミ取りテープをほぼ９０°折り曲げながら引き出すことにより、基材の弾性を利用して捕捉部を自動的に半起立状態とすることができる。
【００２２】
請求項９に記載の発明によれば、半起立状態とされた捕捉部が癖付け部をくぐり抜けることにより、捕捉部がほぼ１８０°に折り畳まれ、癖付け部をくぐり抜けた捕捉部はほぼ垂直に起立した状態に自立する。請求項１０に記載の発明によれば、第１起立部で半起立状態とされた捕捉部を第２起立部で確実に捕らえることができる。
【発明を実施するための最良の形態】
【００２３】
次に、本発明の実施形態について図面を参照しながら説明する。図１は、本発明の一実施形態に係るゴミ取りテープをテープディスペンサ内に収納した状態の斜視図であり、図２は、ゴミ取りテープの断面図である。
【００２４】
このゴミ取りテープ１０は、例えばポリプロピレンなどの合成樹脂からなる帯状の基材１１の一方の面（図２では下面）に粘着面１２が形成された粘着テープからなり、ロール状に巻き取られた状態でテープディスペンサー２０内に保管されている。ゴミ取りテープ１０の粘着面１２側には、未使用の粘着面１２を保護するためのセパレータ１３が設けられている。
【００２５】
この実施形態において、基材１１は、ポリプロピレンからなる合成樹脂から構成されているが、基材１１の材料は浴室などの湿潤環境下においても使用可能な耐湿性を備えていれば、これ以外の材料であってもよい。
【００２６】
粘着面１２は、基材１１に耐水性を有する例えばゴム系ホットメルトの粘着剤を一様に塗布したものからなり、この実施形態では粘着面１２にべた塗りされている。なお、粘着剤の種類および塗布方法は任意であり、ゴミ取りテープ１０の仕様に応じて適宜変更できる。
【００２７】
基材１１の表面側（図２では上面側）には、所定間隔（この実施形態では幅方向に並んで３箇所）の切れ目１４が多数設けられている。この例では、各切れ目１４は、ゴミ取りテープ１０の進行方向（繰り出し方向）に向かって頂部１４ａが形成された、いわゆるΛ（ラムダ）型に形成されている。
【００２８】
これによれば、基材１１の一部が後述する癖付け部２３をくぐり抜けることで、反り返され、切れ目１４に沿って持ち上げられることで、基材１１の表面上にゴミを捕らえるための捕捉部１５が三角形状に形成される。
【００２９】
この実施形態において、切れ目１４は、Λ（ラムダ）型に形成されているが、切れ目１４は、テープの繰り出し方向に向かって頂部１４が形成されていればその形状は任意であり、図３（ａ）に示すように、２つの頂部１４ｂを有するＭ字型であってもよく、さらに図３（ｂ）に示すように、各頂部１４ｂ間の付け根に丸形状のフック部１４ｃを設けて、フック部１４ｃにゴミを引っ掛けやすくするように加工してもよい。
【００３０】
これ以外の変形例としては、図３（ｃ）に示すように、多数の頂部１４ｄを有する柊（ひいらぎ）状の切れ目１４を形成してもよい。また、図３（ｄ）に示すように、各頂部１４ｄの先端に丸形状のフック部１４ｅを突設するように設けてもよく、これによれば、先端を丸形にすることで、素足などで踏んだ場合に痛くない。このような態様も本発明に含まれる。
【００３１】
また、切れ目１４の配列は、図１、図３（ａ）および図３（ｃ）に示すように、各切れ目１４を所定間隔で整列した格子状に配置するようにしてもよいし、図３（ｂ）および図３（ｄ）に示すように、一列の各切れ目１４の間に次列の各切れ目１４を互い違いに配置する、いわゆる千鳥配置としてもよい。また、逆にすべての切れ目１４を整列させずにランダムに配置してもよい。
【００３２】
切れ目１４は、基材１１の厚さ方向にカットされるがより好ましくは、切れ目がセパレータ１３まで達しないように切れ込まれていることが好ましい。これによれば、セパレータ１３をより簡単に剥がし取ることができる。なお、切れ目１４をセパレータ１３まで達しないように形成する方法としては、セパレータ１３を切れ目１４を設けた基材１１に後貼りする方法や、セパレータ１３とともに基材１１をハーフカットする方法などが挙げられる。
【００３３】
ゴミ取りテープ１０の基材１１には、所定間隔で切断部１６が設けられている。切断部１６は、図１に示すように、基材１１の幅方向の両端に跨るように形成されたミシン目からなり、切断部１６に沿って基材１１を切り離すことにより、好みの長さのゴミ取りテープ１０を形成することができる。なお、この実施形態において、切断部１６は所定間隔で設けられているが、切断部１６は、手で簡単に切り取れる特性を有する基材１１であってもよい。
【００３４】
次に、テープディスペンサー２０の構成について説明する。再び図１を参照して、このテープディスペンサー２０は、合成樹脂などからなる板体を組み立てたものからなるディスペンサー本体２１を備え、ディスペンサ本体２１の内部には、ゴミ捕りテープ１０を収納可能なスペースが設けられている。なお、板体の材料は、紙製でもよいし、金属製でもよい。
【００３５】
ディスペンサー本体２０には、ゴミ取りテープ１０を外部に引き出すための引出孔２２が設けられている。この引出孔２２は、ゴミ取りテープ１０の捕捉部１５を起立させるための第１起立手段として機能する。
【００３６】
すなわち、図２に示すように、引出孔２２から引き出されたゴミ取りテープ１０は、ほぼ９０°折り曲げた状態でディスペンサー本体２０の上面に沿って引き出されることにより、捕捉部１５が切れ目１４に沿って切り離され、基材１１に対して自動的に半起立した状態になる。
【００３７】
半起立状態とされた捕捉部１５を有するゴミ取りテープ１０は、次の第２起立手段としての癖付け部２３に運ばれる。癖付け部２３は、ディスペンサー本体２１の外周面（ゴミ取りテープ搬送面）状にアーチ状に掛け渡されたものからなり、この癖付け部２３とディスペンサー本体２１の外周面との間にゴミ取りテープ１０が差し込まれる。
【００３８】
これによれば、図２に示すように、引出孔２２から引き出されることで、半起立状態となった捕捉部１５が、そのまま癖付け部２３によってほぼ１８０°反り返ることにより、癖付け部２３をくぐり抜けた捕捉部１５は、復元弾性力によって基材１１に対してほぼ９０°直立した状態となる。
【００３９】
次に、このゴミ取りテープ１０の使用手順の一例について説明する。まず、使用者は、引出孔２２から引き出されたゴミ取りテープ１０の先端を手で把持し、癖付け部２３内に挿通する。
【００４０】
次に、癖付け部２３の上を指で軽く押さえながら、ゴミ取りテープ１０を引き出す。これにより、癖付け部２３内で捕捉部１５がほぼ１８０°折り畳まれ、くぐり抜けた捕捉部１５は、弾性復元力でほぼ９０°に直立した状態となる。
【００４１】
ゴミ取りテープ１０を必要な分繰り出した後、基材１１に設けられたミシン目１６に沿ってゴミ取りテープ１０を切り離すことで、ゴミ取りテープ１０が完成する。最後に、粘着面１２側に設けられたセパレータ１３を剥がし取り、被貼着部としての排水口に貼り付けることで、ゴミ取りテープ１０の装着が完了する。
【００４２】
この実施形態において、ゴミ取りテープ１０は基材１１に所定間隔で設けられたミシン目１６によって所定長さで切断できるようになっているが、これ以外に、テープディスペンサー２０側に切断刃を別に設けて、この切断刃で切断するようにしてもよい。
【図面の簡単な説明】
【００４３】
【図１】本発明の一実施形態に係るゴミ取りテープをテープディスペンサー内に収納した状態の斜視図。
【図２】ゴミ取りテープの捕捉部の組立手順を説明する説明図。
【図３（ａ）】切れ目の構成方法の変形例を説明する説明図。
【図３（ｂ）】切れ目の構成方法の変形例を説明する説明図。
【図３（ｃ）】切れ目の構成方法の変形例を説明する説明図。
【図３（ｄ）】切れ目の構成方法の変形例を説明する説明図。
【図４】従来のゴミ取りテープの使用方法を説明する説明図。
【符号の説明】
【００４４】
１０  ゴミ取りテープ
１１  基材
１２  粘着面
１３  セパレータ
１４  切れ目
１４ａ、１４ｂ、１４ｄ  頂部
１５  捕捉部
１６  切断部（ミシン目）
２０  テープディスペンサー
２１  ディスペンサー本体
２２  引出孔
２３  癖付け部
【図１】
2005036478.tif 000003
【図２】
2005036478.tif 000004
【図３（ａ）】
2005036478.tif 000005
【図３（ｂ）】
2005036478.tif 000006
【図３（ｃ）】
2005036478.tif 000007
【図３（ｄ）】
2005036478.tif 000008
【図４】
2005036478.tif 000009